(57)【要約】【課題】受信した信号を映像及び音声として録画するレコーダにおいて、レコーダの構成を変更することなく容易に実装するチューナの種類を判別し、マイコンの外部発注後に発生したチューナの機種変更に、迅速に対応できるものとする。【解決手段】チューナは、マイコンから送信されたスレーブアドレスが正しければマイコンに対してＡＣＫ信号を送信し（Ｓ１０５でＹｅｓ）、マイコンは、送信したスレーブアドレスに基づいてチューナの種類を判別する（Ｓ１０６）。記憶部がレコーダに実装されているチューナに対応するスレーブアドレスを記憶してないとき（Ｓ１０８でＮｏ）、記憶部に新たなスレーブアドレスを記憶させることで（Ｓ１０９でＹｅｓ）、様々なチューナ種別を判別すること可能となる。また、マイコンのマスクを外部発注した後、チューナの機種変更が発生した場合であっても、迅速に対応することができる。【選択図】図３
0003127630.tif 000002
【実用新案登録請求の範囲】
【請求項１】
受信した信号を映像及び音声としてハードディスク、ＤＶＤメディア、またはビデオテープに録画するレコーダであって、
アナログ信号またはデジタル信号の少なくともいずれか一方を受信するチューナと、
前記チューナを制御するマイコンと、
前記レコーダ全体を制御するメインマイコンと、を備え、
前記チューナは、前記マイコンを介して前記メインマイコンと接続され、
前記マイコンは、Ｉ２Ｃ（Ｉｎｔｅｒ  Ｉｎｔｅｇｒａｔｅｄ  Ｃｉｒｃｕｉｔ）通信を利用して前記チューナと通信を行い、
前記メインマイコンは、前記チューナのスレーブアドレスを記憶する書き換え可能な記憶部をさらに備え、
前記記憶部は、複数の前記スレーブアドレスを記憶し、
前記レコーダに電源が投入されると、前記メインマイコンは、前記記憶部が記憶している複数の前記スレーブアドレスの中から前記スレーブアドレスを１つ選択して前記マイコンに送信し、
前記マイコンは、Ｉ２Ｃ通信を利用して前記メインマイコンから受信した前記スレーブアドレスを前記チューナに送信し、
前記チューナは、前記マイコンから受信した前記スレーブアドレスが正しくなければ前記マイコンに対して何ら応答を返さず、受信した前記スレーブアドレスが正しければＡＣＫ信号を前記マイコンに送信し、
前記メインマイコンは、所定の時間が経過しても前記マイコンが前記ＡＣＫ信号を受信しないときは、送信した前記スレーブアドレスが正しくなかったと判断して、前記記憶部が記憶している複数の前記スレーブアドレスの中から、未だ送信していない前記スレーブアドレスを１つ選択して前記マイコンに送信し、
前記マイコンが前記ＡＣＫ信号を受信すると、最後に送信した前記スレーブアドレスに基づいて前記チューナの種類を判別し、
前記記憶部が記憶するいずれの前記スレーブアドレスについても、前記所定の時間内に前記マイコンが前記ＡＣＫ信号を受信しないとき、前記記憶部が既に記憶している前記スレーブアドレスに替えて新たな前記スレーブアドレスを記憶し、または既に記憶している前記スレーブアドレスに追加して新たな前記スレーブアドレスを記憶することにより、新たな前記スレーブアドレスを用いて前記しチューナの種類を判別することを特徴とするレコーダ。
【請求項２】
受信した信号を映像及び音声として記憶媒体に録画するレコーダであって、
アナログ信号またはデジタル信号の少なくともいずれか一方を受信する前記チューナと、
前記チューナを制御するマイコンと、
前記レコーダ全体を制御するメインマイコンと、を備え、
前記チューナは、前記マイコンを介して前記メインマイコンと接続され、
前記マイコンは、Ｉ２Ｃ通信を利用して前記チューナと通信を行い、
前記メインマイコンは、前記チューナのスレーブアドレスを記憶する書き換え可能な記憶部をさらに備え、
前記記憶部は、前記チューナのスレーブアドレスを記憶し、
前記レコーダに電源が投入されると、前記メインマイコンは、前記スレーブアドレスを前記マイコンに送信し、
前記マイコンは、Ｉ２Ｃ通信を利用して前記スレーブアドレスを前記チューナに送信し、
前記チューナは、受信した前記スレーブアドレスが正しければＡＣＫ信号を前記マイコンに送信し、
前記メインマイコンは、前記マイコンが前記ＡＣＫ信号を受信すると、送信した前記スレーブアドレスに基づいて、前記チューナの種類を判別することを特徴とするレコーダ。
【請求項３】
前記記憶部が、既に記憶している前記スレーブアドレスに替えて新たな前記スレーブアドレスを記憶し、または既に記憶している前記スレーブアドレスに追加して新たな前記スレーブアドレスを記憶することによって、
前記メインマイコンは、新たな前記スレーブアドレスを用いて前記チューナの種類を判別することを特徴とする請求項２に記載のレコーダ。
【考案の詳細な説明】
【技術分野】
【０００１】
本発明は、実装しているチューナの種類を判別することができるレコーダに関する。
【背景技術】
【０００２】
従来のビデオデッキまたはテレビなどの電子機器においては、マイコンに設けられた入力ポートにプルアップ抵抗またはプルダウン抵抗を接続することによって、マイコンに外部回路が接続されているか否かを検出していた。しかし、マイコンに設けられた入力ポートにプルアップ抵抗またはプルダウン抵抗を接続させる構成では、部品点数が増加するとともに、配線作業の負担が大きいという問題が生じていた。そこで、例えば、特許文献１及び特許文献２に示されるように、マイコンと外部回路とがＩ２Ｃ通信を利用して通信を行うことにより、マイコンの入力ポートにプルアップ抵抗またはプルダウン抵抗を接続することなく、マイコンに外部回路が接続されているか否かを検出することができる電子機器が知られている。
【０００３】
しかしながら、特許文献１及び特許文献２に示される技術においては、電子機器の出荷時に予め外部回路に関する情報が設定されている必要があり、この外部回路に関する情報に基づいて、マイコンに外部回路が接続されているか否かを検出していたため、出荷時に外部回路に関する情報が設定されていない外部回路を検出することはできなかった。また、マイコンに接続されている外部回路の種類まで判別することができなかった。また、チューナ実装のレコーダを製造する現場において、チューナの機種が変わったとき、それに対応して、従来では、マイコンのソフトウェアも変更しなければならなかったが、マイコンのマスクを新たに外部に発注する場合、日数を要するため、量産ラインにおいて速やかな機種変更が困難となっていた。
【特許文献１】特開平１１−１２６１７８号公報
【特許文献２】特開２００５−２５８４９４号公報
【考案の開示】
【考案が解決しようとする課題】
【０００４】
本発明は、上記従来例の問題を解決するためになされたものであり、レコーダの出荷時に予め設定されたチューナに関する情報に基づいて、レコーダに実装されているチューナの種類を判別することができ、また、レコーダの出荷時に、チューナに関する情報が設定されていないチューナであっても、レコーダに対して新たにチューナに関する情報を設定可能として、チューナの種類を判別できるようにし、チューナ機種変更に対しても迅速な対応が可能となるレコーダを提供することを目的とする。
【課題を解決するための手段】
【０００５】
上記目的を達成するために請求項１の発明は、受信した信号を映像及び音声としてハードディスク、ＤＶＤメディア、またはビデオテープに録画するレコーダであって、アナログ信号またはデジタル信号の少なくともいずれか一方を受信するチューナと、チューナを制御するマイコンと、レコーダ全体を制御するメインマイコンと、を備え、チューナは、マイコンを介してメインマイコンと接続され、マイコンは、Ｉ２Ｃ（Ｉｎｔｅｒ  Ｉｎｔｅｇｒａｔｅｄ  Ｃｉｒｃｕｉｔ）通信を利用してチューナと通信を行い、メインマイコンは、チューナのスレーブアドレスを記憶する書き換え可能な記憶部をさらに備え、記憶部は、複数のスレーブアドレスを記憶し、レコーダに電源が投入されると、メインマイコンは、記憶部が記憶している複数のスレーブアドレスの中からスレーブアドレスを１つ選択してマイコンに送信し、マイコンは、Ｉ２Ｃ通信を利用してメインマイコンから受信したスレーブアドレスをチューナに送信し、チューナは、マイコンから受信したスレーブアドレスが正しくなければマイコンに対して何ら応答を返さず、受信したスレーブアドレスが正しければＡＣＫ信号をマイコンに送信し、メインマイコンは、所定の時間が経過してもマイコンがＡＣＫ信号を受信しないときは、送信したスレーブアドレスが正しくなかったと判断して、記憶部が記憶している複数のスレーブアドレスの中から、未だ送信していないスレーブアドレスを１つ選択してマイコンに送信し、マイコンがＡＣＫ信号を受信すると、最後に送信したスレーブアドレスに基づいてチューナの種類を判別し、記憶部が記憶するいずれのスレーブアドレスについても、所定の時間内にマイコンがＡＣＫ信号を受信しないとき、記憶部が既に記憶しているスレーブアドレスに替えて新たなスレーブアドレスを記憶し、または既に記憶しているスレーブアドレスに追加して新たなスレーブアドレスを記憶することにより、新たなスレーブアドレスを用いてしチューナの種類を判別するようにしたものである。
【０００６】
また、請求項２の発明は、受信した信号を映像及び音声として記憶媒体に録画するレコーダであって、アナログ信号またはデジタル信号の少なくともいずれか一方を受信するチューナと、チューナを制御するマイコンと、レコーダ全体を制御するメインマイコンと、を備え、チューナは、マイコンを介してメインマイコンと接続され、マイコンは、Ｉ２Ｃ通信を利用してチューナと通信を行い、メインマイコンは、チューナのスレーブアドレスを記憶する書き換え可能な記憶部をさらに備え、記憶部は、チューナのスレーブアドレスを記憶し、レコーダに電源が投入されると、メインマイコンは、スレーブアドレスをマイコンに送信し、マイコンは、Ｉ２Ｃ通信を利用してスレーブアドレスをチューナに送信し、チューナは、受信したスレーブアドレスが正しければＡＣＫ信号をマイコンに送信し、メインマイコンは、マイコンがＡＣＫ信号を受信すると、送信したスレーブアドレスに基づいて、チューナの種類を判別するようにしたものである。
【０００７】
また、請求項３の発明は、請求項２のレコーダにおいて、記憶部が、既に記憶しているスレーブアドレスに替えて新たなスレーブアドレスを記憶し、または既に記憶しているスレーブアドレスに追加して新たなスレーブアドレスを記憶することによって、メインマイコンは、新たなスレーブアドレスを用いてチューナの種類を判別するようにしたものである。
【考案の効果】
【０００８】
請求項１の発明によれば、マイコンは、記憶部が予め記憶する複数のスレーブアドレスを、順次、チューナに送信し、当該スレーブアドレスに対してチューナからＡＣＫ信号が返信されるか否かによって、レコーダに実装されているチューナの種類を判別することができる。また、記憶部が予め記憶するスレーブアドレスに基づいてレコーダに実装されているチューナの種類を判別することができない場合、記憶部に新たなスレーブアドレスを追加し、または記憶部が記憶するスレーブアドレスを新たなスレーブアドレスに書き換える。マイコンは、記憶部が新たに記憶したスレーブアドレスをチューナに送信し、チューナが当該スレーブアドレスに対してＡＣＫ信号を返信することにより、チューナの種類を判別することが可能となる。これにより、チューナを実装するレコーダを製造する現場において、チューナの機種が特定されていない段階であってもマイコンの製造に着手することが可能となる。さらには、マイコンのマスクを外部に発注した後に、チューナの機種変更が発生した場合であっても、新たにマイコンのマスクを外部に発注する必要がないため、機種変更に速やかに対応することができる。
【０００９】
請求項２の発明によれば、マイコンは、記憶部が予め記憶するスレーブアドレスをチューナに送信し、チューナは、受信したスレーブアドレスが正しければＡＣＫ信号を前記マイコンに送信する。これにより、マイコンは、送信したスレーブアドレスに対してチューナからＡＣＫ信号が返信されるか否かによって、レコーダに実装されているチューナの種類を判別することができる。また、マイコンのマスクを外部に発注した後に、チューナの機種変更が発生した場合であっても、新たにマイコンのマスクを外部に発注する必要がないため、機種変更に速やかに対応することができる。
【００１０】
請求項３の発明によれば、マイコンが記憶部に記憶されている全てのスレーブアドレスをチューナに送信しても、チューナがＡＣＫ信号をマイコンに送信しない場合、書き換え可能な記憶部は、新たなスレーブアドレスを追加され、または既に記憶しているスレーブアドレスを新たなスレーブアドレスに書き換えられる。マイコンは、記憶部が新たに記憶したスレーブアドレスをチューナに送信し、チューナが当該スレーブアドレスに対してＡＣＫ信号を返信することにより、チューナの種類を判別することが可能となる。
【考案を実施するための最良の形態】
【００１１】
以下、本発明の実施形態に係るレコーダについて、図面を参照して説明する。図１は、本発明の実施形態に係るレコーダの概略構成を示す。レコーダ１は、レコーダ１全体を制御するメインマイコン２と、映像及び音声からなるコンテンツが録画されるハードディスク３と、ハードディスク３及びＤＶＤメディア４にコンテンツを録画し、または、ハードディスク３及びＤＶＤメディア４が既に記憶しているコンテンツを再生する録画再生手段５と、アンテナ６を介してアナログ信号またはデジタル信号を受信するチューナ７と、メインマイコン２に接続されＩ２Ｃ通信バス８を介してチューナ７と通信を行うマイコン９と、ユーザから操作パネル１０またはリモコン１０Ｒからの命令に応じて、レコーダ１に電源を供給する電源１１とを備える。
【００１２】
メインマイコン２は、チューナ７の種類を判別するために用いられるスレーブアドレス１２を記憶する記憶部１３を備える。ここで、スレーブアドレス１２とは、チューナ７の規格及び仕様に応じて各種チューナ７に割り当てられる８ビットの情報である。チューナ７は、チューナ７に割り当てられた正しいスレーブアドレス１２のみを認識することができる。記憶部１３は、記憶する情報を書き換えることのできる不揮発性のメモリであって、例えば、ＦＲＡＭ（Ｆｅｒｒｏｅｌｅｃｔｒｉｃ  Ｒａｎｄａｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、フラッシュメモリなどである。ここで、記憶部１３は、３つのスレーブアドレス１２ａ、スレーブアドレス１２ｂ、及びスレーブアドレス１２ｃを記憶しているものとする。
【００１３】
Ｉ２Ｃ通信バス８は、シリアルデータ通信用の規格化されたバスであり、シリアルクロック線であるＳＣＬ（Ｓｅｒｉａｌ  Ｃｌｏｃｋ  Ｌｉｎｅ）と、シリアルデータ線であるＳＤＬ（Ｓｅｒｉａｌ  Ｄａｔａ  Ｌｉｎｅ）とで構成されている。Ｉ２Ｃ通信バス８においては、スレーブアドレス１２やＡＣＫ信号などのデータがＳＤＬによって１ビットずつ送受信される。このように、記憶部１３が複数のスレーブアドレス１２を記憶することにより、レコーダ１の製造現場において、マイコン９のマスクを外部に発注した後に、チューナ７の機種変更が発生した場合であっても、変更されたチューナ７が記憶部１３に記憶されているスレーブアドレス１２に対応していれば、新たにマイコン９のマスクを外部に発注する必要がないため、量産ラインにおいて機種変更に速やかに対応することが可能となる。
【００１４】
図２は、Ｉ２Ｃ通信バス８におけるマイコン９側の通信データの状態を示す。マイコン９は、Ｉ２Ｃ通信バス８を介してチューナ７と通信を開始するとき、スタートコンディション１４を出力する。スタートコンディション１４は、ＳＣＬが「Ｈｉｇｈ」の状態のときにＳＤＬを「Ｈｉｇｈ」から「Ｌｏｗ」へと変化させることで表現される。マイコン９は、スタートコンディション１４を出力すると、続いてスレーブアドレス１２を送信する。ＳＣＬは、「Ｌｏｗ」から「Ｈｉｇｈ」に変化し、再び「Ｌｏｗ」に戻るクロック信号を繰り返し出力する。ここで、マイコン９がスタートコンディション１４を出力した後のはじめてのクロック信号を０ｂｉｔクロック信号とし、以後、１ｂｉｔクロック信号、２ｂｉｔクロック信号、・・・９ｂｉｔクロック信号とする。マイコン９は、ＳＣＬがクロック信号を１つ出力するときに、スレーブアドレス１２を１ビット送信する。よって、ＳＣＬが０ｂｉｔクロック信号から７ｂｉｔクロック信号を出力すると、マイコン９は、８ビットからなるスレーブアドレス１２の送信を完了することとなる。
【００１５】
チューナ７は、マイコン９から送信されたスレーブアドレス１２が正しければスレーブアドレス１２を認識することができるため、認識したことを示すＡＣＫ信号をマイコン９に送信する。チューナ７がＡＣＫ信号を送信しＳＤＬがＡＣＫ信号を受信すると、ＳＣＬが９ｂｉｔクロック信号を出力するときに、ＳＤＬは「Ｈｉｇｈ」の状態となる。一方、チューナ７がＡＣＫ信号を送信しなかった場合、ＳＣＬが９ｂｉｔクロック信号を出力するときに、ＳＤＬは「Ｌｏｗ」の状態となる。このように、マイコン９は、ＳＣＬが９ｂｉｔクロック信号を出力するときに、ＳＤＬが「Ｈｉｇｈ」または「Ｌｏｗ」のいずれの状態であるかによって、チューナ７がＡＣＫ信号を送信したかを判断することが可能となる。ここで、図２では、ＳＣＬが９ｂｉｔクロック信号を出力したとき、ＳＤＬは「Ｈｉｇｈ」の状態にあるため、チューナ７がＡＣＫ信号を送信したことが分る。
【００１６】
チューナ７がＡＣＫ信号を送信しないとき、マイコン９は、記憶部１３が記憶するスレーブアドレス１２であって、未だチューナ７に送信されていない他のスレーブアドレス１２を選択し、再度、チューナ７へ送信する。一方、チューナ７がＡＣＫ信号を送信したとき、マイコン９は、チューナ７がＡＣＫ信号を送信したスレーブアドレス１２からチューナ７の種類を判別する。チューナ７の種類を判別すると、マイコン９は、続いてチューナ７の仕様に合わせた通信を行う。マイコン９は、チューナ７との通信を終了するとき、ストップコンディション１５を出力する。ストップコンディション１５は、ＳＣＬが「Ｈｉｇｈ」のときにＳＤＬを「Ｌｏｗ」から「Ｈｉｇｈ」へと変化させることで表現される。
【００１７】
図３は、レコーダ１におけるチューナの種類を判別する処理フローを示す。電源１１は、ユーザから操作パネル１０またはリモコン１０Ｒを介して電源を投入する命令が入力されると、レコーダ１に電源を供給する。レコーダ１に電源が供給されると、メインマイコン２は、記憶部１３が記憶する３つのスレーブアドレス１２の中から１つを選択する（Ｓ１０１）。ここでは、先ず、「０ｘＣ０」からなるスレーブアドレス１２ａが選択されるものとする。メインマイコン２は、選択したスレーブアドレス１２ａをマイコン９へ送信する（Ｓ１０２）。マイコン９は、Ｉ２Ｃ通信バス８を介してチューナ７と通信を開始するために、スタートコンディション１４を出力する（Ｓ１０３）。続いて、マイコン９は、Ｉ２Ｃ通信バス８を介してＳＣＬが出力するクロック信号に合わせてスレーブアドレス１２ａを１ビットずつチューナ７へ送信する（Ｓ１０４）。
【００１８】
チューナ７は、マイコン９から送信されたスレーブアドレス１２ａが正しければ、マイコン９に対してＡＣＫ信号を送信し（Ｓ１０５でＹｅｓ）、正しくなければＡＣＫ信号を送信しない（Ｓ１０５でＮｏ）。チューナ７がＡＣＫ信号をマイコン９に送信すると（Ｓ１０５でＹｅｓ）、マイコン９は、送信したスレーブアドレス１２ａに基づいてチューナ７の種類を判別して（Ｓ１０６）、チューナ７の種類の判別処理を終了する。これにより、レコーダ１は、容易に実装されているチューナ７の種類を判別することができる。以後、マイコン９は、Ｉ２Ｃ通信バス８を介して種類を判別したチューナ７の仕様に合わせた通信を行う。
【００１９】
ステップＳ１０５において、チューナ７がマイコン９にＡＣＫ信号を送信しないとき（Ｓ１０５でＮｏ）、マイコン９は、チューナ７と通信を終了するためにストップコンディション１５を出力する（Ｓ１０７）。マイコン９とチューナ７との通信が終了すると、メインマイコン２は、記憶部１３が既にチューナ７に送信されたスレーブアドレス１２ａ以外に未だ送信されていないスレーブアドレス１２を記憶しているかを確認する（Ｓ１０８）。記憶部１３が未だ送信されていないスレーブアドレス１２を記憶しているとき（Ｓ１０８でＹｅｓ）、ステップＳ１０１に戻って、メインマイコン２は、記憶部１３が記憶しているスレーブアドレス１２の中から、チューナ７に未だ送信されていないスレーブアドレス１２を１つ選択する（Ｓ１０１）。ここで、スレーブアドレス１２ａは既にチューナ７に送信されているため、メインマイコン２は、チューナ７に未だ送信されていないスレーブアドレス１２ｂを選択する。
【００２０】
ステップＳ１０８において、記憶部１３が記憶している全てのスレーブアドレス１２ａ乃至スレーブアドレス１２ｃをチューナ７に送信し終えていると（Ｓ１０８でＮｏ）、記憶部１３はレコーダ１に実装されているチューナ７に対応するスレーブアドレス１２を記憶してないこととなる。このとき、記憶部１３に新たなスレーブアドレス１２が追加され、または既に記憶されているスレーブアドレス１２ａ乃至スレーブアドレス１２ｃが新たなスレーブアドレス１２に書き換えられることによって、記憶部１３が新たなスレーブアドレス１２を記憶すると（Ｓ１０９でＹｅｓ）、ステップＳ１０１に戻って、メインマイコン２は、記憶部１３が新たに記憶したスレーブアドレス１２の中から、チューナ７に送信するスレーブアドレス１２を１つ選択する（Ｓ１０１）。
【００２１】
ステップＳ１０９において、記憶部１３に新たなスレーブアドレス１２が記憶させられないとき（Ｓ１０９でＮｏ）、メインマイコン２は、レコーダ１が実装するチューナ７の種類を判別することができないため、メインマイコン２は、チューナ７を使用せずにレコーダ１を動作させるモードに設定して（Ｓ１１０）、チューナ７の種類の判別処理を終了する。
【００２２】
このように、記憶部１３が予め複数のスレーブアドレス１２を記憶することによって、レコーダ１は、仕様の異なるチューナ７の種類を判別することができる。これにより、例えば、マイコン９がマスク発注され後に、レコーダ１に実装されるチューナ７が決定された場合であっても、記憶部１３が当該チューナ７のスレーブアドレスを記憶していれば、レコーダ１の構成を変更することなく当該チューナ７を使用することが可能となる。
【００２３】
また、例えば、レコーダ１がアナログ対応チューナ７を実装して出荷された後に、アナログ対応チューナ７がアナログ及びデジタル対応チューナ７に取り替えられた場合であっても、記憶部１３にアナログ及びデジタル対応チューナ７のスレーブアドレス１２を新たに記憶させることによって、レコーダ１の構成を変更することなく容易にチューナ７を交換することが可能となる。
【００２４】
なお、本発明は、上記実施形態の構成に限られず、種々の変形が可能であり、例えば、
記憶部１３は、メインマイコン２に設けられる構成でなく、メインマイコン２の外部に設けられる構成であっても構わない。
【図面の簡単な説明】
【００２５】
【図１】本発明の実施形態に係るレコーダの概略を示す構成図。
【図２】本発明の実施形態に係るＩ２Ｃ通信バスにおけるマイコン側の通信データの状態を示す図。
【図３】同レコーダにおけるチューナの種類を判別する処理フロー。
【符号の説明】
【００２６】
１  レコーダ
２  メインマイコン
３  ハードディスク
４  ＤＶＤメディア
５  録画再生手段
７  チューナ
８  Ｉ２Ｃ通信バス
９  マイコン
１２  スレーブアドレス
１２ａ〜１２ｃ  スレーブアドレス
１３  記憶部
【図１】
0003127630.tif 000003
【図２】
0003127630.tif 000004
【図３】
0003127630.tif 000005